【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
複数の送信アンテナポートを持つ基地局と通信する移動端末であって、
伝搬路状況測定用参照信号に基づいてフィードバック情報を生成するフィードバック情報生成部を備え、
前記フィードバック情報生成部は、グルーピングされた送信アンテナポートの間の重み付けを考慮して、予め設定された複数種類のプレコーディング行列のうち前記基地局に対して推奨されるプレコーディング行列を示す情報を生成し、
前記複数種類のプレコーディング行列は、前記グルーピングされた前記送信アンテナポートのグループ毎に同一のプレコーディング処理を行なうものであることを特徴とする移動端末。
【請求項２】
前記フィードバック情報生成部は、前記基地局に対して推奨される符号化率および変調方式を示す情報であるＣＱＩを生成し、
前記ＣＱＩは、グルーピングされた前記送信アンテナポートのグループ毎に同一のプレコーディング処理をするようなプレコーディング重みとなる予め設定された複数種類のプレコーディング行列のうち前記基地局に対して推奨されるプレコーディング行列を用いた時に、伝送品質が所要品質を満たすような符号化率および変調方式を示すものであることを特徴とする請求項１に記載の移動端末。
【請求項３】
前記送信アンテナポートのグルーピングは、前記基地局のパラメータに基づいて行なわれることを特徴とする請求項１または請求項２に記載の移動端末。
【請求項４】
前記送信アンテナポートのグルーピングは、前記移動端末のパラメータに基づいて行なわれることを特徴とする請求項１または請求項２に記載の移動端末。
【請求項５】
前記送信アンテナポートのグルーピングは、コンポーネントキャリアのパラメータに基づいて行なわれることを特徴とする請求項１または請求項２に記載の移動端末。
【請求項６】
複数の送信アンテナポートを持つ基地局と移動端末が通信する通信システムであって、
前記基地局は、前記基地局および前記移動端末で互いに既知の伝送路状況測定用参照信号を生成する伝送路状況測定用参照信号生成部を備え、
前記移動端末は、伝搬路状況測定用参照信号に基づいてフィードバック情報を生成するフィードバック情報生成部を備え、
前記フィードバック情報生成部は、グルーピングされた送信アンテナポートの間の重み付けを考慮して、予め設定された複数種類のプレコーディング行列のうち前記基地局に対して推奨されるプレコーディング行列を示す情報を生成し、
前記複数種類のプレコーディング行列は、グルーピングされた前記送信アンテナポートのグループ毎に同一のプレコーディング処理を行なうものであることを特徴とする通信システム。
【請求項７】
前記フィードバック情報生成部は、前記基地局に対して推奨される符号化率および変調方式を示す情報であるＣＱＩを生成し、
前記ＣＱＩは、グルーピングされた前記送信アンテナポートのグループ毎に同一のプレコーディング処理をするようなプレコーディング重みとなる予め設定された複数種類のプレコーディング行列のうち前記基地局に対して推奨されるプレコーディング行列を用いた時に、伝送品質が所要品質を満たすような符号化率および変調方式を示すものであることを特徴とする請求項６に記載の通信システム。
【請求項８】
複数の送信アンテナポートを持ち、移動端末と通信する基地局であって、
前記基地局は、グルーピングされた送信アンテナポートの間の重み付けを考慮して前記移動端末で生成され、予め設定された複数種類のプレコーディング行列のうち前記基地局に対して推奨されるプレコーディング行列を示す情報を受信する受信部と、
前記推奨されるプレコーディング行列を示す情報に基づいて前記移動端末に対するプレコーディング処理を行なうプレコーディング部とを備え、
前記複数種類のプレコーディング行列は、グルーピングされた前記送信アンテナポートのグループ毎に同一のプレコーディング処理を行なうものであることを特徴とする基地局。
【請求項９】
前記ＣＱＩに基づいて前記移動端末に対する符号化率を制御する符号部と、
前記ＣＱＩに基づいて前記移動端末に対する変調方式を制御する変調部とを備え、
前記受信部は、前記基地局に対して推奨される符号化率および変調方式を示す情報であるＣＱＩを受信し、
前記ＣＱＩは、グルーピングされた前記送信アンテナポートのグループ毎に同一のプレコーディング処理をするようなプレコーディング重みとなる予め設定された複数種類のプレコーディング行列のうち前記基地局に対して推奨されるプレコーディング行列を用いた時に、伝送品質が所要品質を満たすように符号化率および変調方式を制御することを特徴とする請求項８記載の基地局。
【請求項１０】
複数の送信アンテナポートを持つ基地局に対して移動端末により行われる無線通信方法であって、
グルーピングされた送信アンテナポートの間の重み付けを考慮して、予め設定された複数種類のプレコーディング行列のうち前記基地局に対して推奨されるプレコーディング行列を示す情報を生成し、
前記複数種類のプレコーディング行列は、グルーピングされた前記送信アンテナポートのグループ毎に同一のプレコーディング処理を行なうものであることを特徴とする無線通信方法。
【請求項１１】
前記基地局に対して推奨される符号化率および変調方式を示す情報であるＣＱＩを生成し、
前記ＣＱＩは、グルーピングされた前記送信アンテナポートのグループ毎に同一のプレコーディング処理をするようなプレコーディング重みとなる予め設定された複数種類のプレコーディング行列のうち前記基地局に対して推奨されるプレコーディング行列を用いた時に、伝送品質が所要品質を満たすような符号化率および変調方式を示すものであることを特徴とする請求項１０記載の無線通信方法。
【請求項１２】
複数の送信アンテナポートを持つ基地局と移動端末が通信する通信システムにより行われる無線通信方法であって、
前記基地局は、前記基地局および前記移動端末で互いに既知の伝送路状況測定用参照信号を生成し、
前記移動端末は、前記伝搬路状況測定用参照信号に基づいて、グルーピングされた送信アンテナポートの間の重み付けを考慮して、予め設定された複数種類のプレコーディング行列のうち前記基地局に対して推奨されるプレコーディング行列を示す情報を生成し、
前記複数種類のプレコーディング行列は、グルーピングされた前記送信アンテナポートのグループ毎に同一のプレコーディング処理を行なうものであることを特徴とする無線通信方法。
【請求項１３】
前記移動端末は、前記基地局に対して推奨される符号化率および変調方式を示す情報であるＣＱＩとして、グルーピングされた前記送信アンテナポートのグループ毎に同一のプレコーディング処理をするようなプレコーディング重みとなる予め設定された複数種類のプレコーディング行列のうち前記基地局に対して推奨されるプレコーディング行列を用いた時に、伝送品質が所要品質を満たすような符号化率および変調方式を示すものを生成することを特徴とする請求項１２記載の無線通信方法。
【請求項１４】
複数の送信アンテナポートを持ち、移動端末と通信する基地局により行われる無線通信方法であって、
グルーピングされた送信アンテナポートの間の重み付けを考慮して前記移動端末で生成され、予め設定された複数種類のプレコーディング行列のうち前記基地局に対して推奨されるプレコーディング行列を示す情報を受信し、
前記複数種類のプレコーディング行列は、前記移動端末に対して、グルーピングされた前記送信アンテナポートのグループ毎に同一のプレコーディング処理を行なうものであることを特徴とする無線通信方法。
【請求項１５】
前記基地局に対して推奨される符号化率および変調方式を示す情報であるＣＱＩを受信し、
前記受信されたＣＱＩに基づいて、グルーピングされた前記送信アンテナポートのグループ毎に同一のプレコーディング処理をするようなプレコーディング重みとなる予め設定された複数種類のプレコーディング行列のうち前記基地局に対して推奨されるプレコーディング行列を用いた時に、伝送品質が所要品質を満たすように前記移動端末に対する符号化率および変調方式を制御することを特徴とする請求項１４記載の無線通信方法。